【事件の表示】
　平成１１年特許願第２１７４５７号「パチンコ機」拒絶査定不服審判事件〔平成１３年　２月１３日出願公開、特開２００１−　３８０１２〕について、次のとおり審決する。
【結　論】
　本件審判の請求は、成り立たない。
【理　由】
 　
第一．手続きの経緯・本願発明　
　本願は、平成１１年７月３０日の出願であって、平成２１年６月２９日付けで拒絶理由通知がなされ、これに対し、同年８月１０日付けで手続補正がなされ、その後、同年９月１６日付けで拒絶査定がなされ、これに対し、同年１２月９日に拒絶査定不服の審判請求がなされるとともに同日付けで手続補正がなされ、その後、当審において、平成２２年１１月９日付けで拒絶理由が通知され、これに対し、平成２３年１月１４日付け手続補正書によって明細書の一部が補正されたものである。
　　
　したがって、本願の請求項１及び２に係る発明は、上記平成２３年１月１４日付け手続補正によって補正された特許請求の範囲の請求項１及び２に記載されたとおりのものと認められるところ、その請求項１に記載された発明は次のとおりのものである。
　【請求項１】　球を個別に払出可能に分別形成された複数の球払出機構と、これらの球払出機構に個別に球を誘導可能に分別形成された複数の球分流手段とを備えるパチンコ機であって、
前記複数の球払出機構から払い出されて上皿に誘導される払出球を前記複数の球払出機構双方から受け入れる払出球受口樋と、
前記複数の球払出機構より抜かれる球を前後方向に隔てて設けられた球抜受口より個別に受け入れ、前記パチンコ機の外部に個別に誘導する複数の球抜通路、遊技盤のアウト口からの球を誘導するアウト球通路、遊技盤の入賞口からの球を誘導するセーフ球通路それぞれの集約された集合体を設け、
前記球払出機構がその内部に中継基盤と当該中継基盤と接続される複数の部品とを備え、
前記球払出機構の外部から接続される前記パチンコ機の制御装置の電気配線と前記部品の電気配線とが前記中継基盤に集約して接続されたことを特徴とするパチンコ機。（以下「本願発明１」という。）
　
第二．当審の拒絶理由　
　当審は、上記平成２２年１１月９日付けの拒絶理由通知書で、本願の請求項１及び２に係る発明は、刊行物に記載された技術事項に基いて、当業者が容易に発明をすることができたものであるから、特許法第２９条第２項の規定により特許を受けることができない旨を通知した。
　　　
第三．刊行物に記載された発明　
　刊行物１：特開平３−４５２８１号公報　
　刊行物２：特開平５−３００９８０号公報　　
　刊行物３：特開平６−４７１５４号公報　
　　　　　　　
　当審の拒絶理由に引用され、本願出願前に頒布された、特開平３−４５２８１号公報（以下、「引用刊行物１」という。）における、
　（１ａ）第２頁左下欄第２行乃至右下欄第５行には、
　「パチンコ機は、第１図に示すように、機枠１の一側に蝶番２，２により前面枠３を開閉可能に蝶着し、該前面枠３の窓部を表側から塞ぐようにして開閉可能なガラス枠４と開閉パネル５を上下に蝶着し、前面枠３の裏面には窓部を裏側から覆うようにして遊技盤収納枠６を取付け、該遊技盤収納枠６内に遊技盤７を着脱可能に装着し、遊技盤収納枠６の裏側には遊技盤７から流出した入賞球を処理する入賞球処理機構や賞球排出機構等の裏機構を設けた裏機構盤８を着脱可能に取付けてある。
　賞球排出機構は、裏機構盤８の上部に配設した貯留タンク９、該貯留タンク９内の球を導出する球導出樋１０、球導出樋１０から流下する球を整流する整流樋１１、予め設定した数（例えば１３個）の球を流下する第１賞球排出装置１２と予め設定した数（例えば７個）の球を流下する第２賞球排出装置１３とを一体化した賞球排出ユニット１４、第１賞球排出装置１２と第２賞球排出装置１３が流下した球を開閉パネル５の表面に設けた上球供給皿（図示せず）に排出する賞球排出樋１５、・・・等から構成されている。」と、
　（１ｂ）第３頁右下欄第６行乃至第１５行には、
　「　貯留タンク９から球を導出する球導出樋１０は、第１３図から第２０図に示すように、両側の第１主区画壁３７、第２主区画壁３８、中央の第３主区画壁３９とにより幅方向に２つのブロックに区画するとともに、第１主区画壁３７と第３主区画壁３９との間に第１副区画壁４０を立設することにより第１流下路４１と第２流下路４２を形成し、第３主区画壁３９と第２主区画壁３８との間に第２副区画壁４３を立設することにより第３流下路４４と第４流下路４５を形成し、」と、
　（１ｃ）第４頁左下欄第１４行乃至第５頁左上欄第４行には、
　「　この様な構成から成る球導出樋１０を裏機構盤８に取付けるには、傾斜上端部分、即ち第１、第２踏板レバー４６，４７を設けた部分を貯留タンク９の球落下口１７に下方から臨ませ、・・・着脱可能に取付ける。この様にして球導出樋１０を裏機構盤８の所定位置に取付けると、前記した貯留タンク９から吊設した球均し部材２２，２２が上方から各流下路に臨む。貯留タンク９内に球が十分に貯留されていると、これらの球は球落下口１７から落下して第１踏板レバー４６及び第２踏板レバー４７上に載り・・・。第１踏板レバー４６及び第２踏板レバー４７上に載った球は流下するにしたがい第１副区画壁４０と第２副区画壁４３とによりそれぞれ一列に整列されながら第１流下路４１、第２流下路４２、第３流下路４４及び第４流下路４５内にほぼ平均に流下する。・・・」と、
　（１ｄ）第５頁左下欄第１４行乃至第６頁左下欄第７行には、
　「　球導出樋１０を流下した球は整流樋１１により確実に整流されながら賞球排出ユニット１４に導かれる。
　整流樋１１は、第２１図に示すように、横向きに開口する球入口７０・・・から横Ｕ字状に屈曲し、その下流側部分を略階段状に屈曲した球流路７１・・・を４本並設したものであり、上記横Ｕ字状屈曲部分に開設した球抜き口に球抜き機構を設け、階段状屈曲部分に球不足検出機構７２を設けてある。・・・
　賞球排出ユニット１４は、図面の実施例では、１回作動すると１３個の球を賞球として流下する第１賞球排出装置１２と７個の球を賞球として流下する第２賞球排出装置１３とからなり、入賞球流下制御ユニット７３の第１入賞球流下制御装置７４と第２入賞球流下制御装置７５が入賞球を１個宛流下制御することにより作動する。
　次に、遊技盤７から流出した入賞球を処理して前記賞球排出ユニット１４を作動する入賞球処理機構について説明する。
　遊技盤７の裏側には排出される入賞球を集合する第１入賞球集合樋７６を設けるとともに該第１入賞球集合樋７６に重ねて第２入賞球集合樋７７を設けてあり、第１入賞球集合樋７６は球が入賞すると１３個の賞球を排出する価値を有する入賞具からの入賞球を集合し、第２入賞球集合樋７７は球が入賞すると７個の賞球を排出する価値を有する入賞具からの入賞球を集合するように構成されている。そして、裏機構盤８の下部には第１入賞球集合樋７６の下面開口部が臨む位置に第１入賞球集合路７８を、第２入賞球集合樋７７の下面開口部が臨む位置に第２入賞球集合路７９を形成し、第１入賞球集合路７８の流下出口を第１入賞球流下制御装置７４に連通させ、第２入賞球集合路７９の流下出口を第２入賞球流下制御装置７５に連通させる。
　図面の実施例では第１入賞球集合樋７６により集合した入賞球を流下制御する第１入賞球流下制御装置７４と、第２入賞球集合樋７７により集合した入賞球を流下制御する第２入賞球流下制御装置７５とを一体的に組み付けて入賞球流下制御ユニット７３を構成してある。この入賞球流下制御装置は、入賞球を１個宛流下制御することができればどのような構成でもよいが、第２４図に示す第１入賞球流下制御装置７４は、第１収納本体８０の内部に、１個の球の一部が入る窪み状の第ｌ入賞球受部８１を外周に形成した第１入賞球処理部材８２を軸８３により回動可能に支承するとともに、・・・該第１駆動カム８６と一体的に回動する第１歯車８８に第２歯車８９を噛合してなる。第２入賞球流下制御装置７５は、第１入賞球流下制御装置７４と同様の構成であり、第２収納本体９０の内部に、１個の球の一部が入る窪み状の第２入賞球受部９１を外周に形成した第２入賞球処理部材９２を軸９３により回動可能に支承するとともに、・・・該第２駆動カム９６と一体的に回動する第３歯車９８に第４歯車９９を噛合し、第１収納本体８０と第２収納本体９０とを重合して第２歯車８９の軸と第４歯車９９の軸とを接続するとともに、減速器付モータ１００の出力軸を上記第２歯車８９，第４歯車９９の軸に接続してなる。」と、
　（１ｅ）第７頁左上欄第１５行乃至左下欄第１１行には、
　「　次に、遊技盤７の裏側に流出した入賞球が第１入賞球集合樋７６により集められ、この入賞球が第１入賞球集合路７８を流下して出口に到達すると、この入賞球は第１入賞球処理部材８２の第１入賞球受部８１内に嵌合し、上半部分を第１入賞球処理部材８２の外周面から突出させる。この状態で第１入賞球処理部材８２が第１駆動カム８６の駆動により回動すると、・・・第１入賞球処理部材８２が更に回動すると球の球面が第１球感知部材１０２の第１球感知部１０５に作用して第１球感知部材１０２を回動する。この第１球感知部材１０２の回動により第１ロッド１０９が上昇して第１賞球排出装置１２を作動する。したがって、この第１賞球排出装置１２の作動により１３個の球が賞球として上皿に排出される。この様にして第１賞球排出装置１２を作動させた球が第１入賞球処理部材８２の回動により更に進むと第１球感知部１０５から外れるとともに第１入賞球受部８１から落下して、入賞球排出口１１０からパチンコ機の外部に排出される。・・・
　なお、第２入賞球流下制御装置７５も第１入賞球流下制御装置７４と同様に作動し、入賞球を１個流下するごとに第２賞球排出装置１３を１回作動させ、所定数、例えば７個の球を賞球として流下させる。」と、それぞれ記載されている。　
　
　そして、図面特に第１図乃至第４図には「上球供給皿に排出する賞球排出樋１５」と「モータ１００」とが近接して示され、当該「モータ１００」は上記（１ｄ）の記載によれば「第１入賞球流下制御装置７４及び第２入賞球流下制御装置７５の歯車軸に接続してなる」ものであるから、図面には「上球供給皿に排出する賞球排出樋１５と、第１入賞球流下制御装置７４及び第２入賞球流下制御装置７５とを近接配置した」事項が示されているといえる。
　
　したがって、これらの記載事項をまとめると、引用刊行物１には、　
　「　前面枠３の窓部を表側から塞ぐようにしてガラス枠４と開閉パネル５を上下に蝶着し、該前面枠３の窓部を裏側から覆うようにして遊技盤収納枠６を取付け、該遊技盤収納枠６内に遊技盤７を着脱可能に装着し、該遊技盤収納枠６の裏側には遊技盤７から流出した入賞球を処理する入賞球処理機構や賞球排出機構等の裏機構を設けた裏機構盤８を着脱可能に取付けてあるパチンコ機であって、
　（Ａ）前記賞球排出機構は、前記裏機構盤８の上部に配設した貯留タンク９、該貯留タンク９内の球を導出する球導出樋１０、球導出樋１０から流下する球を整流する整流樋１１、予め設定した１３個の球を流下する第１賞球排出装置１２と予め設定した７個の球を流下する第２賞球排出装置１３とを一体化した賞球排出ユニット１４、第１賞球排出装置１２と第２賞球排出装置１３が流下した球を開閉パネル５の表面に設けた上球供給皿に排出する賞球排出樋１５等から構成され、
　（Ａ−１）前記貯留タンク９から球を導出する球導出樋１０は、両側の第１主区画壁３７、第２主区画壁３８、中央の第３主区画壁３９とにより幅方向に２つのブロックに区画するとともに、第１主区画壁３７と第３主区画壁３９との間に第１流下路４１と第２流下路４２を形成し、第３主区画壁３９と第２主区画壁３８との間に第３流下路４４と第４流下路４５を形成し、
　（Ａ−２）前記整流樋１１は、横向きに開口する球入口７０・・・から横Ｕ字状に屈曲し、その下流側部分を略階段状に屈曲した球流路７１・・・を４本並設したものであり、上記横Ｕ字状屈曲部分に開設した球抜き口に球抜き機構を設け、
　（Ａ−３）賞球排出ユニット１４は、１回作動すると１３個の球を賞球として流下する第１賞球排出装置１２と７個の球を賞球として流下する第２賞球排出装置１３とからなり、
　（Ａ−４）貯留タンク９内の球は球落下口１７から落下して、球導出樋１０の第１流下路４１、第２流下路４２、第３流下路４４及び第４流下路４５内にほぼ平均に流下し、球導出樋１０を流下した球は整流樋１１により確実に整流されながら賞球排出ユニット１４に導かれ、
　
　（Ｂ）遊技盤７から流出した入賞球を処理して前記賞球排出ユニット１４を作動する入賞球処理機構は、　
　（Ｂ−１）前記遊技盤７の裏側に、１３個の賞球を排出する価値を有する入賞具からの入賞球を集合する第１入賞球集合樋７６と、７個の賞球を排出する価値を有する入賞具からの入賞球を集合する第２入賞球集合樋７７とを重ねて設けてあり、　
　（Ｂ−２）前記裏機構盤８の下部には、第１入賞球集合樋７６の下面開口部が臨む位置に第１入賞球集合路７８を、第２入賞球集合樋７７の下面開口部が臨む位置に第２入賞球集合路７９を形成し、第１入賞球集合路７８の流下出口を第１入賞球流下制御装置７４に連通させ、第２入賞球集合路７９の流下出口を第２入賞球流下制御装置７５に連通させ、
　（Ｂ−３）第１入賞球集合樋７６により集合した入賞球を流下制御する第１入賞球流下制御装置７４と、第２入賞球集合樋７７により集合した入賞球を流下制御する第２入賞球流下制御装置７５は、入賞球を１個宛流下制御することができればどのような構成でもよく、これらを一体的に組み付けて入賞球流下制御ユニット７３を構成してあり、
　（Ｂ−４）前記第１入賞球流下制御装置７４は、第１収納本体８０の内部に、１個の球の一部が入る窪み状の第ｌ入賞球受部８１を外周に形成した第１入賞球処理部材８２を軸８３により回動可能に支承し、前記第２入賞球流下制御装置７５は、前記第１入賞球流下制御装置７４と同様の構成であり、第２収納本体９０の内部に、１個の球の一部が入る窪み状の第２入賞球受部９１を外周に形成した第２入賞球処理部材９２を軸９３により回動可能に支承し、
　（Ｂ−５）前記遊技盤７の裏側に流出した入賞球が第１入賞球集合樋７６により集められ、この入賞球が第１入賞球集合路７８を流下して出口に到達すると、この入賞球は第１入賞球処理部材８２の第１入賞球受部８１内に嵌合し、上半部分を第１入賞球処理部材８２の外周面から突出させる状態で第１入賞球処理部材８２が回動すると、球の球面が作用して第１賞球排出装置１２を作動して、１３個の球が賞球として上皿に排出され、第１賞球排出装置１２を作動させた球が第１入賞球処理部材８２の回動により更に進むと第１入賞球受部８１から落下して、パチンコ機の外部に排出され、
　（Ｂ−６）第２入賞球流下制御装置７５も第１入賞球流下制御装置７４と同様に作動し、入賞球を１個流下するごとに第２賞球排出装置１３を１回作動させ、７個の球を賞球として流下させ、
　
　（Ｃ）上球供給皿に排出する賞球排出樋１５と、第１入賞球流下制御装置７４及び第２入賞球流下制御装置７５とを近接配置した、　
　パチンコ機。」の発明（以下、「引用発明１」という。）が記載されていると認められる。　
　　　　
　当審の拒絶理由に引用され、本願出願前に頒布された、特開平５−３００９８０号公報（以下、「引用刊行物２」という。）には以下の記載がある。
　（２ａ）「【００４９】玉排出装置１０３は、図９にその断面図を示すように、主要なものとして排出ソレノイド１１２、排出カム１１３、排出センサ１１４および中継基盤１１５を有し、内部に玉通路１１６が形成されている。・・・」、
　（２ｂ）「【００５０】・・・このとき、排出される玉は排出センサ１１４によって検出され、その検出信号は中継基盤１１５を介して排出制御装置１０５に送られる。・・・」。　
　　　
　当審の拒絶理由に引用され、本願出願前に頒布された、特開平６−４７１５４号公報（以下、「引用刊行物３」という。）には以下の記載がある。
　（３ａ）「【００３３】
玉排出装置の構成
次に、本発明を適用した玉排出装置５４の構成について、詳細に説明する。図３は玉排出装置５４の分解斜視図である。図３において、８１は第１ケーシング、８２は第２ケーシング、８３は第３ケーシングであり、これらのケーシング８１〜８３によって玉排出装置５４の玉案内通路および切欠円盤などを収納する収納室が形成される。・・・」、
　（３ｂ）「【００４１】案内通路１０５Ａ、１０５Ｂに臨む８４、８５の下部側には、切欠円盤８４、８５により送り出されたパチンコ玉をそれぞれ検出する排出センサ（玉検出手段）１１１、１１２が配置されている。排出センサ１１１、１１２としては通過型のセンサが用いられる。１１３は中継基盤で、モータ９０、ストッパソレノイド１０１、排出センサ１１１、１１２への配線を中継するものである。・・・」、
　（３ｃ）「【００５１】ＣＰＵ２０１は払出し制御手段としての機能を有し、ストッパソレノイド１０１および排出モータ９０の作動を制御して玉の払出し制御を行うとともに、切欠円盤８４、８５を正転してパチンコ玉を払い出すとき、これらの切欠円盤８４、８５を一旦逆転させ、ストッパ１００の嵌合を解除するように制御する。」。　　
　　　　　　　　　　　　　　　
第四．本願発明１と引用発明１との比較・検討
　（四−１）引用発明１の「球」は本願発明１の「球」に相当し、以下同様に「第１賞球排出装置１２と第２賞球排出装置１３とからなる賞球排出ユニット１４」は「複数の球払出機構」に、「球導出樋１０」は「幅方向に２つのブロックに区画」されているから「複数の球分流手段」に、「パチンコ機」は「パチンコ機」に、「上球供給皿」は「上皿」に、「賞球排出樋１５」は「払出球受口樋」に、「遊技盤７」は「遊技盤」に、「入賞具からの入賞球」は「入賞口からの球」に、それぞれ相当する。
　（四−２）引用発明１の「第１賞球排出装置１２」は「１回作動すると１３個の球を賞球として流下する」もので、同「第２賞球排出装置１３」は「１回作動すると７個の球を賞球として流下する」ものであるから、引用発明１は本願発明１の「球を個別に払出可能に分別形成された複数の球払出機構」に相当する事項を備えているといえる。
　（四−３）引用発明１においては、「球導出樋１０」は「第１流下路４１、第２流下路４２、第３流下路４４及び第４流下路４５」を備え、「球導出樋１０を流下した球は整流樋１１により確実に整流されながら賞球排出ユニット１４に導かれ」るものであり、当該「整流樋１１」は「球流路７１・・・を４本並設したものであ」るから、引用発明１は本願発明１の「これらの球払出機構に個別に球を誘導可能に分別形成された複数の球分流手段」に相当する事項を備えているといえる。
　（四−４）引用発明１の「賞球排出樋１５」は、「第１賞球排出装置１２と第２賞球排出装置１３が流下した球を上球供給皿に排出する」もので、当該「第１賞球排出装置１２」は「１３個の球を流下する」もので、また当該「第２賞球排出装置１３」は「７個の球を流下する」ものであるから、引用発明１は本願発明１の「（前記）複数の球払出機構から払い出されて上皿に誘導される払出球を前記複数の球払出機構双方から受け入れる払出球受口樋」に相当する事項を備えているといえる。
　（四−５）引用発明１の「横Ｕ字状屈曲部分に開設した球抜き口に設け」た「球抜き機構」について、当該分野の技術常識を考慮すれば、引用発明１は本願発明１の「（前記）複数の球払出機構より抜かれる球を前後方向に隔てて設けられた球抜受口より個別に受け入れ、（前記）パチンコ機の外部に個別に誘導する複数の球抜通路」と比較して、「（前記）複数の球払出機構より抜かれる球を受け入れ、（前記）パチンコ機の外部に誘導する球抜通路」を備えている点において一致しているといえる。
　また、パチンコ機がアウト口及びアウト球通路を有しているとの当該分野の技術常識を考慮すれば、引用発明１は本願発明１の「遊技盤のアウト口からの球を誘導するアウト球通路」に相当する事項を備えているといえる。
　（四−６）引用発明１においては、「遊技盤７の裏側に流出した入賞球」は、「第１入賞球集合樋７６により集められ、この入賞球が第１入賞球集合路７８を流下して出口に到達すると、この入賞球は第１入賞球処理部材８２の第１入賞球受部８１内に嵌合し、第１入賞球処理部材８２の回動により更に進むと第１入賞球受部８１から落下して、パチンコ機の外部に排出され」るものであるから、引用発明１は本願発明１の「遊技盤の入賞口からの球を誘導するセーフ球通路」に相当する事項を備えているといえる。
　（四−７）引用発明１の「上球供給皿に排出する賞球排出樋１５と、第１入賞球流下制御装置７４及び第２入賞球流下制御装置７５とを近接配置した」との事項について検討すると、上記「（四−６）」に記載した「第１入賞球受部８１」は第１入賞球流下制御装置７４に備えられたものであるから、当該第１入賞球流下制御装置７４はセーフ球通路を構成しているといえる。そうすると、引用発明１は本願発明１の「（前記）複数の球払出機構から払い出されて上皿に誘導される払出球を前記複数の球払出機構双方から受け入れる払出球受口樋と、
前記複数の球払出機構より抜かれる球を前後方向に隔てて設けられた球抜受口より個別に受け入れ、（前記）パチンコ機の外部に個別に誘導する複数の球抜通路、遊技盤のアウト口からの球を誘導するアウト球通路、遊技盤の入賞口からの球を誘導するセーフ球通路それぞれの集約された集合体を設け、」の事項と比較して、「（前記）複数の球払出機構から払い出されて上皿に誘導される払出球を前記複数の球払出機構双方から受け入れる払出球受口樋と、
遊技盤の入賞口からの球を誘導するセーフ球通路それぞれを近接して設け、」において一致しているといえる。
　　　
　したがって、両者は、　
「　球を個別に払出可能に分別形成された複数の球払出機構と、これらの球払出機構に個別に球を誘導可能に分別形成された複数の球分流手段とを備えるパチンコ機であって、
前記複数の球払出機構から払い出されて上皿に誘導される払出球を前記複数の球払出機構双方から受け入れる払出球受口樋と、
前記複数の球払出機構より抜かれる球を受け入れ、前記パチンコ機の外部に誘導する球抜通路、遊技盤のアウト口からの球を誘導するアウト球通路、遊技盤の入賞口からの球を誘導するセーフ球通路それぞれを設け、
それらのうち、前記払出球受口樋とセーフ球通路とを近接して設けた、
パチンコ機。」である点で一致し、次の点で相違する。
　
　相違点１　
　球抜通路が、本願発明１では「前後方向に隔てて設けられた球抜受口より個別に受け入れ、パチンコ機の外部に個別に誘導する複数の通路」であるのに対し、引用発明１では「パチンコ機の外部に誘導する通路」である点。
　相違点２　
　本願発明１では「払出球受口樋、球抜通路、アウト球通路、セーフ球通路それぞれの集約された集合体を設け」たのに対し、引用発明１では、「払出球受口樋とセーフ球通路とを近接して設け」た点。
　相違点３　
　本願発明１では「球払出機構がその内部に中継基盤と当該中継基盤と接続される複数の部品とを備え、前記球払出機構の外部から接続される（前記）パチンコ機の制御装置の電気配線と前記部品の電気配線とが前記中継基盤に集約して接続された」のに対し、引用発明１では、そのような構成を有するかどうか明らかでない点。
　　
　そこで、上記相違点について検討する。
　相違点１について　
　球抜通路の具体的な本数及び形状をどのようなものとするかは、球抜作動時の所要時間や隣接して配置される他の構成部材との位置関係などを考慮して、当業者が適宜なし得る設計上の事項であるから、相違点１に係る本願発明１を特定する事項とすることは、当業者が容易になし得ることである。
　相違点２について　
　近接して配置され、類似の機能を有する複数の部材を集約して集合体とする技術は、例えば、引用発明１における「幅方向に２つのブロックに区画される球導出樋１０」及び「１３個の球を流下する第１賞球排出装置１２と７個の球を流下する第２賞球排出装置１３とを一体化した賞球排出ユニット１４」のように普通に採用される技術事項である。そして、いくつの部材を集約して集合体とするかは、成形時や組立取付け時の容易性、点検時の操作性などを考慮して、当業者が適宜なし得る設計上の事項であるから、「払出球受口樋とセーフ球通路とを近接して設け」た引用発明１に基いて、相違点２に係る本願発明１を特定する事項とすることは、当業者が容易になし得ることである。　
　相違点３について
　「パチンコ機の制御装置の電気配線と部品の電気配線とが集約して接続される、排出機構の中継基盤」の技術は、例えば、引用文献２に示された「排出センサ１１４の検出信号を排出制御装置１０５に送る、中継基盤１１５」、及び引用文献３に示された『「ＣＰＵ２０１が作動を制御する、ストッパソレノイド１０１および排出モータ９０」への配線を中継する、中継基盤１１３』のように周知・慣用の技術である。そして、「複数の部品の電気配線が集約して接続される、中継基盤」の技術は、例を挙げるまでもなく周知・慣用の技術（例えば、引用文献３には、複数の部品として「ストッパソレノイド１０１および排出モータ９０」が示されている。）であることを併せて考慮すれば、相違点３に係る本願発明１を特定する事項とすることは、当業者が容易になし得ることである。
　
　そして、本願発明１による効果に格別のものは認められない。　
　　　　　　　　　　　　
第五．むすび
　以上のとおり、本願発明１は、引用発明１及び周知・慣用の技術に基いて当業者が容易に発明をすることができたものであるから、本願の他の請求項に係る発明について検討するまでもなく、本願は、特許法第２９条第２項の規定により、特許を受けることができない。
　
　よって、結論のとおり審決する。